(57)【要約】      （修正有）【課題】  長尺体の一端部に取付けることにより使用される留め具であり、連結ロッドに対してワンタッチで着脱自在に連結できる留め具を提供する。【解決手段】  ベース体１は、長尺体５を取付ける取付部６と、該取付部から長尺体の反対側に向けて延びる支持部７を備える。フック体２は、前記ベース体に対して支持部に交差する支軸を介して回動自在に枢結された基部１２と、該基部から延長され前記支持部の上方で前記連結ロッドを抱持するように円弧を描くフック部１３と、該フック部から更に延長され前記支持部の先端近傍部に当接する自由端部１４を備える。スプリング３は、前記自由端部が支持部の先端近傍部に当接するようにフック体の基部を回動付勢している。前記ベース体の支持部の軸線と前記フック体の自由端部の軸線の間の角度θ１を鋭角に形成し、これにより該自由端部の外側面にガイド手段を形成する。【選択図】図３
2006170328.tif 000002
【特許請求の範囲】
【請求項１】
長尺体(5)の一端に取付けられ、連結ロッド(M)を着脱自在に抱持する留め具であり、ベース体(1)と、フック体(2)と、スプリング(3)を備えた構成において、
前記ベース体(1)は、長尺体(5)を取付ける取付部(6)と、該取付部から長尺体の反対側に向けて延びる支持部(7)を備え、
前記フック体(2)は、前記ベース体に対して支持部(7)に交差する支軸(9)を介して回動自在に枢結された基部(12)と、該基部から延長され前記支持部(7)の上方で前記連結ロッドを抱持するように円弧を描くフック部(13)と、該フック部から更に延長され前記支持部(7)の先端近傍部(10a)に当接する自由端部(14)を備え、
前記スプリング(3)は、前記自由端部(14)が支持部の先端近傍部(10a)に当接するようにフック体(2)の基部(12)を回動付勢しており、
前記ベース体(1)の支持部(7)の軸線(A1)と前記フック体(2)の自由端部(14)の軸線(A3)の間の角度θ１を鋭角に形成することにより、該自由端部(14)の外側面にガイド手段(19)を形成し、連結ロッド(M)をガイド手段(19)に押し当て前記支軸に向けて前進せしめたとき、フック体(2)がスプリング(3)に抗して回動することにより自由端部(14)を支持部(7)から離反せしめ、連結ロッド(M)がフック体(2)の内側空間に進入したとき、フック体(2)がスプリング(3)により回動復帰して自由端部(14)を支持部(7)に当接せしめるように構成して成ることを特徴とする留め具。
【請求項２】
ベース体(1)の支持部(7)は、フック体(2)の自由端部(14)を当接せしめる支持点(10a)を超えて摘み部(7a)を延設しており、該摘み部(7a)は、支持部(7)に対して屈折され、該摘み部(7a)の軸線(A2)と自由端部(14)の軸線(A3)の間の角度θ２が前記角度θ１よりも大きくなるように形成して成ることを特徴とする請求項１に記載の留め具。
【請求項３】
フック部(13)の円弧の中心と、基部(12)の支軸(9)の中心と、取付部(6a)の中心は、基準線(L)により規定される同一の平面上に位置せしめられており、前記基準線(L)に対して支持部(7)が屈折偏位せしめられて成ることを特徴とする請求項１又は２に記載の留め具。
【請求項４】
ベース体(1)の取付部(6)は、前記基準線(L)に交差する取付杆(6a)と、該取付杆(6a)に平行に配置され前記基準線Ｌに沿って移動自在な締結杆(4)により構成されており、長尺体の導入部(5a)を取付杆(6a)を通過して締結杆(4)に巻掛け折返し、該長尺体の端部(5b)を前記導入部(5a)と取付杆(6a)の間から挿出せしめて成ることを特徴とする請求項３に記載の留め具。
【発明の詳細な説明】
【技術分野】
【０００１】
本発明は、例えば、ベルト等の長尺体により荷崩れを防止するため、該長尺体の一端部に取付けることにより使用される留め具であり、連結ロッドに対してワンタッチで着脱自在に連結できる留め具に関するものである。
【背景技術】
【０００２】
従来、例えば、荷崩れを防止するため、荷物にベルト等の長尺体を掛け渡し、緊締することが知られている。このようなベルト等の長尺体は、両端部に留め具が設けられ、該留め具を連結ロッドに連結せしめた状態で、長尺体の折返端部を引張ることにより、長尺体を緊締するように構成されている。
【０００３】
そこで、このような留め具の代表例として知られているナス環は、図９（Ａ）に示すように、フック体３１とベース体３２を備えており、フック体３１をベース体３２に対して取付軸３３を介して回動自在に取付けている。フック体３１は、円弧状に延びるフック部３４の先端に開閉口３５を形成し、該開閉口３５を開閉自在とする拘束片３６を設けている。即ち、拘束片３６は、基端部３７を固着されたバネ片から構成され、自由端３８をフック部３４の内側に向けて揺動することにより開閉口３５を開閉する。ベース体３２は、平行に配置された取付杆３９、４０を設けており、ベルトＢの導入部を一方の取付杆４０を通過して他方の取付杆３９に巻掛け折返し、該ベルトＢの端部を前記導入部と一方の取付杆４０の間から挿出せしめるように構成されている。
【特許文献１】特開平１１−２３５２２３号公報
【発明の開示】
【発明が解決しようとする課題】
【０００４】
前述のようなナス環は、図９（Ｂ）に示すように、連結ロッドＭを拘束片３６に押し当てながらフック部３４の内部に向けて前進せしめると、バネ片から成る拘束片３６が弾性変形し、開閉口３５を開口することにより連結ロッドＭの進入を許し、連結ロッドＭがフック部３４の内部に進入した後、拘束片３６が弾性復帰し、開閉口３５を閉口する。
【０００５】
ところで、前記開閉口３５の大きさｗと、フック部３４の内径ｄは、連結ロッドＭの外径よりも大きく形成されるが、拘束片３６により開閉口３５を開閉させる場合、拘束片３６を最大限に変形させた状態でも、連結ロッドＭをフック部３４の内部に導くための通路の大きさｓは、拘束片３６とフック部３４の先端との間により規定されるので、ｓ＜ｗ、ｓ＜ｄに形成されてしまう。このため、外径の大きい（即ち太い）連結ロッドＭに連結可能なナス環を提供するためには、全体の形状が大型化し、重量増やコスト増を招来するという問題がある。
【０００６】
更に、このようなナス環において、フック部３４を連結ロッドＭから取外すためには、ユーザの指先で拘束片３６を変形することにより開閉口３５を開口させ、連結ロッドＭをフック部３４から開閉口３５の外部に導くことになるが、開閉口３５を開口し続けるためには、拘束片３６を変形状態のまま指先で押さえておかなければならず、この際、指先が開閉口３５に位置しているので、連結ロッドＭの通過を妨げ、作業を困難にするという問題がある。
【課題を解決するための手段】
【０００７】
本発明は、上述の課題を解決した留め具を提供するものであり、その手段として構成したところは、長尺体の一端に取付けられ、連結ロッドを着脱自在に抱持する留め具であり、ベース体と、フック体と、スプリングを備えた構成において、前記ベース体は、長尺体を取付ける取付部と、該取付部から長尺体の反対側に向けて延びる支持部を備え、前記フック体は、前記ベース体に対して支持部に交差する支軸を介して回動自在に枢結された基部と、該基部から延長され前記支持部の上方で前記連結ロッドを抱持するように円弧を描くフック部と、該フック部から更に延長され前記支持部の先端近傍部に当接する自由端部を備え、前記スプリングは、前記自由端部が支持部の先端近傍部に当接するようにフック体の基部を回動付勢しており、前記ベース体の支持部の軸線と前記フック体の自由端部の軸線の間の角度θ１を鋭角に形成することにより、該自由端部の外側面にガイド手段を形成し、連結ロッドをガイド手段に押し当て前記支軸に向けて前進せしめたとき、フック体がスプリングに抗して回動することにより自由端部を支持部から離反せしめ、連結ロッドがフック体の内側空間に進入したとき、フック体がスプリングにより回動復帰して自由端部を支持部に当接せしめるように構成して成る点にある。
【０００８】
本発明の実施形態において、ベース体の支持部は、フック体の自由端部を当接せしめる支持点を超えて摘み部を延設することが好ましく、該摘み部は、支持部に対して屈折され、該摘み部の軸線と自由端部の軸線の間の角度θ２が前記角度θ１よりも大きくなるように形成されていることが好ましい。
【０００９】
また、フック部の円弧の中心と、基部の支軸の中心と、取付部の中心は、基準線Ｌにより規定される同一の平面上に位置されているのが好ましく、支持部は、前記基準線に対して屈折偏位されていることが好ましい。
【００１０】
更に、ベース体の取付部は、前記基準線Ｌに交差する取付杆と、該取付杆に平行に配置され前記基準線Ｌに沿って移動自在な締結杆により構成されていることが好ましく、このような構成によれば、長尺体は、導入部を取付杆を通過して締結杆に巻掛け折返し、端部を前記導入部と取付杆の間から挿出され、これにより長尺体を締結自在かつ弛緩自在とする締結弛緩手段が構成される。
【発明の効果】
【００１１】
請求項１に記載の本発明によれば、ユーザは、ベース体１を把持することにより留め具を連結ロッドＭに向けて前進させ、相対的に連結ロッドＭを支持部７と自由端部１４の間の空間に押し込んでやれば、支持部７の軸線Ａ１と自由端部１４の軸線Ａ３を鋭角の角度θ１とすることにより自由端部１４の外側面に形成されたガイド手段１９を介して、フック体２がスプリング３に抗して回動し、自由端部１４を支持部７から離反することにより連結ロッドＭの導入路を形成し、連結ロッドＭをフック部１３の内側に進入せしめるので、極めて簡単なワンタッチの動作で留め具を連結ロッドＭに連結することができる。
【００１２】
特に、本発明によれば、留め具を連結ロッドＭに連結する際、ベース体１を把持した状態で、フック体２を回動させることにより開放される導入路を形成するものであるから、フック部１３の内径と同じかそれ以上の導入路を形成するように構成することが可能であり、その結果、外径の大きい（太い）連結ロッドＭに対応した留め具を全体としてコンパクトに形成し提供できる利点がある。
【００１３】
そして、連結ロッドＭから留め具を取外すに際しては、長尺体５の緊締力により、フック体２が連結ロッドＭに強く係止している状態においても、ベース体１を回動させることにより、フック体２の自由端部１４から支持部７を離反させることにより導出路を形成できるので、軽い力で留め具を開放させ、連結ロッドＭから取外すことができる。
【００１４】
請求項２に記載の本発明によれば、支持部７が支持点１０ａを超えて延設された摘み部７ａを形成しているので、連結された連結ロッドＭから留め具を取外すため、支持部７を自由端部１４から離反する方向に回動させる際に、摘み部７ａを指先に係止することにより作業を行うことができる便利がある。しかも、摘み部７ａは、支持部７に対して屈折されており、摘み部７ａの軸線Ａ２と自由端部１４の軸線Ａ３の間の角度θ２を、前記θ１よりも大きな角度（但し９０度未満の鋭角）に形成しているので、留め具を連結ロッドＭに向けて前進させることにより連結するに際して、摘み部７ａがガイドとして連結ロッドＭを支持点１０ａに向けて案内するので、連結作業が一層容易となる。
【００１５】
請求項３に記載の本発明によれば、留め具に連結ロッドＭを連結した状態で、フック部１３の円弧の中心と、基部１２の支軸９の中心と、取付部６（取付杆６ａ）の中心が、長尺体５の緊締方向と一致する基準線Ｌにより規定される同一の平面上に配置されているので、長尺体５を強く緊締することが可能であり、長尺体５の緊締力により留め具の一部分に応力が集中し破損するようなことがない。しかも、支持部７は、前記基準線Ｌから屈折偏位せしめられているので、支持部７に長尺体５の緊締力が作用することはなく、留め具が連結ロッドＭから不慮に外れて脱落する虞れはない。
【００１６】
請求項４に記載の本発明によれば、長尺体５は、導入部５ａを取付杆６ａを通過して締結杆４に巻掛け折返し、端部５ｂを前記導入部５ａと取付杆６ａの間から挿出せしめることにより、留め具に取付けられているので、端部５ｂを引張ることにより、導入部５ａを引き寄せ、これにより長尺体５を緊締することができる。そして、緊締の後は、長尺体５に作用する緊張力により緊締杆４が取付杆６ａに向けて圧接され、端部５ｂを該緊締杆４と取付杆６ａの間に強く挟持するので、長尺体５が弛緩されることはない。
特に本発明によれば、連結ロッドＭから留め具を取外すに際し、フック体２に対して、支持部７を介してベース体１を回動させると、取付部６の回動により、案内杆８が起立することにより、長尺体５の緊締方向に対し取付杆６ａと締結杆４を上下に配置するので、長尺体５の弛緩自在な状態が自動的に得られ、これによりフック体２を連結ロッドＭから取外すことを容易にするという顕著な効果がある。
【発明を実施するための最良の形態】
【００１７】
以下図面に基づいて本発明の好ましい実施形態を詳述する。
【００１８】
（全体の構成）
図１は、本発明に係る留め具の分解状態を示し、図２は、留め具の組立状態を示し、図３は、留め具の使用状態を示している。図１に示すように、留め具の構成部品は、ベース体１と、フック体２と、スプリング３、３と、締結杆４とから構成されている。尚、図３に示すように、留め具は、ベルト等の長尺体５の両端に取付けることにより使用されるが、前記締結杆４は、一方の留め具に必要とされる反面、他方の留め具には必ずしも必要とされない。
【００１９】
ベース体１は、長尺体５を取付けるためのほぼ矩形環状の取付部６と、該取付部６から長尺体５の反対側に向けて延びる支持部７を備えている。取付部６は、長尺体５を構成するベルト幅よりもやや長い取付杆６ａと、該取付杆６ａの両端から折曲され平行に延びる案内杆８、８と、該案内杆８、８から折曲され前記取付杆６ａと平行に対向して配置される軸杆９、９を備え、該軸杆９、９の突合わせ端から更に折曲され、該軸杆９、９に交差して延びる延長杆１０、１０により前記支持部７を形成しており、該支持部７の先端に摘み部７ａを形成している。図例の場合、１本の線材を折曲することにより、取付部６と支持部７を一連一体に形成しているが、このような構成に限定されるものではない。
【００２０】
フック体２は、前記軸杆９、９に回動自在に軸支される軸受部１１を有する左右一対の基部１２と、該基部１２から延長され前記支持部７の上方で後述する連結ロッドＭを抱持するように円弧を描くフック部１３と、該フック部１３から更に延長され前記支持部７の先端近傍部における支持点１０ａに当接する自由端部１４を備え、該自由端部１４を横杆部１５により相互に連結している。従って、フック体２は、軸受部１１を軸杆９、９に軸支した状態で、基部１２が支持部７に交差する支軸回りに回動自在となるように枢結される。
【００２１】
一対のスプリング３は、それぞれ、ベース体１の軸杆９に外挿されるコイルスプリング又は鶴巻スプリングを構成しており、コイルの一端部から延長された固定片１６を該軸杆９に隣接する案内杆８に係止固定し、他端部から延長された揺動片１７をフック体２の基部１２に係止固定される。これにより、図２に矢印Ｆで示すように、スプリング３は、前記自由端部１４の横杆部１５が支持部７の支持点１０ａに当接するようにフック体２を回動付勢する。
【００２２】
締結杆４は、ベース体１の案内杆８、８に横架される断面円形のロッドにより構成されており、ガイド孔１８、１８に案内杆８、８を挿通せしめることにより、該案内杆８、８に沿って摺動自在である。尚、図示省略しているが、連結杆４の表面には、ローレット等の凹凸摩擦面を形成することが好ましい。
【００２３】
図４に示すように、フック部１３の円弧の中心と、フック体２の支軸を構成する軸杆９の中心と、取付杆６ａの中心は、基準線Ｌにより規定される同一の平面上に位置せしめられている。尚、この基準線Ｌは、ベルト等の長尺体５の緊締力が作用する方向である。これに対して、支持部７は、前記基準線Ｌに対して屈折偏位せしめられている。即ち、支持部７の軸線Ａ１は、軸杆９から基準線Ｌよりも下向きに屈折する。更に、摘み部７ａは、支持点１０ａから屈折され、該摘み部７ａの軸線Ａ２が支持部７の軸線Ａ１よりも下向きに屈折する。
【００２４】
ところで、フック体２の自由端部１４の軸線Ａ３は、前記支持部７の軸線Ａ１に対し、鋭角となる角度θ１を有しており、これにより、両軸線Ａ１、Ａ３の間に、外側から支持点１０ａに向けて次第に収斂されるガイド空間Ｓを形成し、該自由端部１４の外側面にガイド手段１９を構成する。因みに、図４に示す実施形態の場合、摘み部７ａの軸線Ａ２が自由端部１４の軸線Ａ３に対して、前記角度θ１よりも大きな角度θ２（但し９０未満となる鋭角）を形成し、摘み部７ａにより連結ロッドＭの進入ガイドを構成する。
【００２５】
（使用状態）
図３に示すように、使用に際して、ベルト等の長尺体５の両端部にそれぞれ本発明の留め具が取付けられる。上述の通り、一方の留め具には締結杆４が備えられているが、他方の留め具には備えられていない。従って、他方の留め具は、図示のように、長尺体５の端部を取付杆７に巻掛けた状態で縫合することにより、長尺体５に固定される。尚、他方の留め具は、従来公知のものを使用しても良い。これに対して、一方の留め具は、締結杆４を備えているので、長尺体５の端部に取付けた状態で、該長尺体５は、緊締自在かつ弛緩自在である。この点の詳細は後述する。
【００２６】
（連結ロッドの連結作用）
図４に示すように、連結ロッドＭに対して、留め具のガイド空間Ｓを前進させると、相対的には、連結ロッドＭが自由端部１４のガイド手段１９に押し当てられ、軸杆９に向けて前進されることになる。この際、支持部７に設けた摘み部７ａを屈折せしめておけば、連結ロッドＭを支持点１０ａに向けて案内する進入ガイドが構成される。
【００２７】
上述のように、ガイド手段１９は、支持部７の軸線Ａ１と自由端部１４の軸線Ａ３の杆に形成された鋭角の角度θ１により規定されているので、連結ロッドＭをガイド手段１９に押し当てながら軸杆９に向けて前進させると、図５に示すように、フック体２は、スプリング３に抗して矢印Ｒ１の方向に回動され、自由端部１４を支持部７から大きく離反せしめ、連結ロッドＭをフック部１３の内部に向けて進入せしめる。即ち、フック体２が回動することにより支持部７の上方に連結ロッドＭの導入通路を形成するので、導入通路は、フック部１３の内径よりも大きく形成することができる。
【００２８】
連結ロッドＭがフック体２の内側空間に進入すると、フック体２は、スプリング３により、図６に示すように、元の状態に回動復帰し、自由端部１４を支持部７に当接せしめるので、これによりフック体２のフック部１３により連結ロッドＭを抱持する。そこで、長尺体５の引張り方向Ｙとなる基準線Ｌに対して、フック部１３の円弧中心と、軸杆９の中心と、取付杆６ａの中心が該基準線Ｌにより規定される同一平面上に配置されているので、留め具が連結ロッドＭから不慮に外れて脱落することはない。
【００２９】
図６に示すように、長尺体５は、導入部５ａを取付杆６ａを通過して締結杆４に巻掛け折返し、端部５ｂを前記導入部５ａと取付杆６ａの間から挿出せしめることにより、留め具に取付けられている。従って、図６（Ａ）に矢印で示すように、端部５ｂを引張ると、導入部５ａが引き寄せられ、これにより長尺体５を緊締することができる。緊締の後は、長尺体５に図６（Ｂ）に矢印で示すような緊張力が作用するので、これにより緊締杆４が矢印ｘ方向に移動され、端部５ｂを該緊締杆４と取付杆６ａの間に強く挟持するので、長尺体５が弛緩されることはない。
【００３０】
（連結ロッドの取外し作用）
連結ロッドＭから留め具を取外すに際しては、図７に示すように、連結ロッドＭを抱持することにより固定されたフック体２に対して、摘み部７ａを介して支持部７を図示矢印Ｒ２の方向に揺動させると、スプリング３に抗してベース体１の全体が回動し、取付部６を図示矢印ｒ２のように回動する。
【００３１】
取付部６の回動により、案内杆８が起立し、長尺体５の緊締方向に対して、取付杆６ａと締結杆４を上下に配置するので、図示矢印で示すように長尺体５は、弛緩自在な状態となる。また、支持部７の回動により、該支持部７がフック体２の自由端部１４から大きく離反して連結ロッドＭの導出路を形成するので、フック体２を連結ロッドＭから取外すことが可能になる。
【００３２】
（変形実施形態）
本発明が上述の実施形態に限定されないことは勿論であり、種々の変更が可能である。図８（Ａ）に示す第１変形例において、支持部７は、上述したような摘み部（７ａ）に相当するものを設けていない。この場合でも、支持部７の軸線Ａ１と自由端部１４の軸線Ａ３が相互に鋭角となる角度θ１を形成することにより、自由端部１４の外側面にガイド手段１９を構成するので、前述したように連結ロッドＭをガイド空間Ｓから押込み、ガイド手段１９を押し付けながら前進させることにより、フック体２をスプリング３に抗して開放方向Ｒ１に回動せしめることが可能である。そして、フック体２により連結ロッドＭを抱持した状態から、該連結ロッドＭを取外すために、支持部７を自由端部１４から離反する方向に揺動させるに際しては、ユーザの指先をフック体２の内側から支持部７に掛けることにより、該支持部７を揺動させることができる。
【００３３】
図８（Ｂ）に示す第２変形例は、フック体２におけるフック部１３の内径Ｄ１に対して、自由端部１４の先端と基部１２の間に形成される導入・導出路の開口寸法Ｄ２を、Ｄ２＞Ｄ１となるように形成している。従って、連結ロッドＭを連結するときにフック体２の回動により形成される導入路と、連結ロッドＭを取外すときにベース体１の回動により形成される導出路が大きく形成され、作業を容易にする。この第２変形例においても、上述の実施形態と同様に、支持部７の軸線Ａ１と自由端部１４の軸線Ａ３が相互に鋭角となる角度θ１を介して自由端部１４の外側面にガイド手段１９を構成しており、連結ロッドＭをガイド空間Ｓから押込んでガイド手段１９を押し付けながら前進させると、フック体２はスプリング３に抗して開放方向Ｒ１に回動され、これにより、連結ロッドＭのワンタッチによる連結を可能にする。
【００３４】
図示の実施形態において、ベース体１及びフック体２は、それぞれ１本の金属製線材を折曲することにより形成されているが、これに限定されないことは明らかであり、例えば、金属板による打抜きプレスや、金属によるダイキャストや、或いは、合成樹脂による成形により形成しても良い。
【００３５】
更に、本発明の留め具は、上述のような構成に加えて、種々の付加的な構成を具備することが可能であり、例えば、相互に開閉自在となるように回動自在に枢結されたベース体１とフック体２の間に、フック体２の自由端部１４がベース体１の支持部７に当接した状態で、相互に開放方向に回動しないように施錠するロック手段を設けても良い。このようなロック手段は、例えば、自由端部１４と支持部７の二つの部材の間において、一方の部材に回動自在に設けられた環状片や爪片を他方の部材に係脱自在に係止するように構成することにより実現される。
【図面の簡単な説明】
【００３６】
【図１】本発明に係る留め具の１実施形態を分解状態で示す斜視図である。
【図２】本発明に係る留め具の１実施形態を組立状態で示す斜視図である。
【図３】本発明に係る留め具の１実施形態をベルト等の長尺体の両端に取付けた使用状態を示す斜視図である。
【図４】本発明に係る留め具の１実施形態を示す縦断面図である。
【図５】本発明の１実施形態において、連結ロッドをフック体の内側に進入させる初期の作用を示す縦断面図である。
【図６】本発明の１実施形態において、フック体を連結ロッドに連結させた状態における作用を示す縦断面図であり、（Ａ）は長尺体を緊締する際の作用を示す縦断面図、（Ｂ）は長尺体を緊締した後の作用を示す縦断面図である。
【図７】本発明の１実施形態において、フック体を連結ロッドから取外す際の作用を示す縦断面図である。
【図８】本発明の変形した実施形態を示しており、（Ａ）は第１変形例を示す縦断面図、（Ｂ）は第２変形例を示す縦断面図である。
【図９】従来技術に係るナス環を示しており、（Ａ）は技術的構成を示す側面図、（Ｂ）は作用を示す側面図である。
【符号の説明】
【００３７】
１    ベース体
２    フック体
３    スプリング
４    締結杆
５    長尺体
５ａ  導入部
５ｂ  端部
６    取付部
６ａ  取付杆
７    支持部
８    案内杆
９    軸杆
１０    延長杆
１０ａ  支持点
１１    軸受部
１２    基部
１３    フック部
１４    自由端部
１５    横杆
１６    固定片
１７    揺動片
１８    ガイド孔
１９    ガイド手段
【図１】
2006170328.tif 000003
【図２】
2006170328.tif 000004
【図３】
2006170328.tif 000005
【図４】
2006170328.tif 000006
【図５】
2006170328.tif 000007
【図６】
2006170328.tif 000008
【図７】
2006170328.tif 000009
【図８】
2006170328.tif 000010
【図９】
2006170328.tif 000011